(57)【要約】      （修正有）【課題】ウールの衣類やフリース衣類を身に纏う際には、下に着用している服との間で摩擦や静電気を起こさせないで着用完了に至るまで、スムーズに着用できるような補助服を提供する。【解決手段】ウールやフリースの上衣、下衣を着る前に、あらかじめ滑りの良い薄手の化学繊維で縫製された左右片側づつの上衣及び下衣の補助服を着用しておき、その上からウールやフリースの上衣、下衣を着用することで、滑りがよくするすると着用できる。補助服は、邪魔であれば、そで口や足首から簡単に引き抜くことができる。【選択図】図１
0003179549.tif 000002
【実用新案登録請求の範囲】
【請求項１】
Ｔシャツを正面から左右に均等に分断した形式の、それぞれ片方の腕に通して肩を通過させ背又は胸の部分でお互いを係止させる係止装置を備えた薄手の化学繊維で縫製された左右１着づつの上衣、及び／またはズボンを正面から左右に均等に分断した形式の、それぞれ片方の足からはいて腹及び後腰の部分でお互いを係止させる係止装置を備えた薄手の化学繊維で縫製された左右１着づつの下衣で構成されることを特長とした補助服。
【考案の詳細な説明】
【技術分野】
【０００１】  本考案は、フリース衣服やウール製のセーター等を着用の際に、あらかじめ着用しておく薄手の補助服に関するものである。
【背景技術】
【０００２】  冬などの寒い季節には暖かな素材の衣服を着用して寒さをしのぐことが健康上不可欠である。昔から天然素材であるウールのセーターや、近年では、化学繊維を使用し、保温効果の高い素材でありしかも安価なたとえばポリエステル製のフリースジャケット、フリースパンツなどの衣類が、老若男女を問わず多く愛用されている。
しかし、ウールのセーターやフリースジャケット、パンツなどは、重ね着する際には、もこもことしているのでかなりの抵抗力を有し、場合により静電気を帯びやすく、又フリースをウール生地でできているセーターなどの服の上に着用する場合などはもともと滑りが悪い素材同士に加え、強い静電気を発生させるためかなり滑りが悪く、着用を完了するまでにはかなりの力と時間を要する困難性がある。
特許文献１においては、腕の部分に着用できるスカーフの発明が開示されており、衣服を着用する際に腕の部分をスムーズに通す役割を果たしているが、前開きのジャケットなどはこれでも補助となるであろうが、セーターなどにおいては腕を通した後に首や胴体を通して着用を完了させないとならない。従って、腕を通りやすくした程度の補助的構成では、着用完了に至るまでには相変わらず強い摩擦力などにより大きな労力が必要になる。
【先行技術文献】
【特許文献】
【０００３】
【特許文献１】特開第２００７−０８２５３５号公報
【０００４】
【考案の概要】
【考案が解決しようとする課題】
【０００５】  このように、ウールの衣類やフリース衣類を身に纏う際には、下に着用している服との間で摩擦や静電気を起こさせないで着用完了に至るまで、スムーズに着用できるような補助服が有用になる。
【課題を解決するための手段】
【０００６】  Ｔシャツを正面から左右に均等に分断した形式の、それぞれ片方の腕に通して肩を通過させ背又は胸の部分でお互いを係止させる係止装置を備えた薄手の化学繊維で縫製された左右１着づつの上衣、及び／またはズボンを正面から左右に均等に分断した形式の、それぞれ片方の足からはいて腹及び後腰の部分でお互いを係止させる係止装置を備えた薄手の化学繊維で縫製された左右１着づつの下衣で構成されることを特長とした補助服を、ウールやフリースの衣類を着用する前にあらかじめ着用しておく。この補助上衣においてはそれぞれの袖口に弾力性のある材質でできた、たとえばゴム紐を巻いておき、また補助下衣においてはそれぞれの足首部分に同様に弾力性のある材質でできた、たとえばゴム紐を巻いて置き、これら補助衣を着用した際に、簡単に脱げ落ちることを防止する構造となっている。
【考案の効果】
【０００７】  ウールやフリース衣類を身に纏う前にあらかじめ、ポリエステルやアクリルなどのさらさらした生地でできている薄手の補助服を着ておくので、この上からフリースを着用すれば、たとえばウールなどのセーターの上へフリースの直接着用時にあったもこもこ感や静電気等による摩擦抵抗が極めて小さくなり、着用完了に至るまでスルスルと着用でき、着用時間も短く力も少なくて済む。そしてウールやフリースの着用後にこの補助服を脱ぎたいときでも、それぞれの係止装置をはずして、上衣であればそで口から、下衣であれば足首口から引っ張り出せば、スムーズに抜き取ることができる。
【図面の簡単な説明】
【０００８】
【図１】一例として本考案の補助服上衣を示す図
【図２】一例として本考案の補助服下衣を示す図
【図３】本考案の補助服下衣の事例参考図
【考案を実施するための形態】
【０００９】  以下に、図面を参照して、本考案の補助服の形態を説明する。
【実施例】
【００１０】  図１は一実施例を示すが、ポリエステルやアクリル生地で縫製された薄手の補助服（上衣）１であり、左上半身用１ａと右上半身用１ｂがあり、それぞれをそれぞれの手を通して着用し、肩から胸、背中まで着用できたら、それぞれの胸又は背にある係止装置１ｃでそれぞれを係止させる。通常、係止装置１ｃとしては一対のホックが一般的かつ簡便であるが、それに限らず、面ファスナーを用いても良いし、たとえば左上半身用１ａのものの胸又は背にはループ状のゴム紐を縫いつけ、右上半身用１ｂのものの胸又は背にはそのゴム紐を引っ掛けるようなボタンを配置しても良い。【００１１】  図２はやはり一実施例を示すが、ポリエステルやアクリル生地で縫製された薄手の補助服（下衣）１０であり、左下半身用２ａと右下半身用２ｂがあり、それぞれをそれぞれの足を通して着用し、腹部まで着用できたら、それぞれの腹部と後腰部にある係止装置２ｃでそれぞれを係止させる。通常、係止装置２ｃとしては一対のホックが一般的かつ簡便であるが、面ファスナーを設置しても良いし、それに限らず、たとえば左下半身用２ａのものの腹部と後腰部にはループ状のゴム紐を縫いつけ、右下半身用２ｂのものの腹部と後腰部にはそのゴム紐を引っ掛けるようなボタンを配置しても良い。或いは、図３に示すように、左下半身用のものの後腰部にループ状のゴム紐を縫いつけ、同じく左下半身用のものの腹部にボタンを配置し、後腰部のループ状のゴム紐を反時計方向に右下半身用補助服を押さえながら回してきて前腹部のボタンに掛け止めることで左右の下半身用補助服を仮固定することもできる。この係止手段を採用すれば、お腹周りのサイズが異なる方々においても対応できる。【００１２】  この後、ウールやフリースの上衣、同じくウールやフリースの下衣を着用するにあたっては、すでに上下の補助服を身に纏っているので、ウールやフリースの上衣、下衣のどちらもこすりあう抵抗も少なく、また静電気などでの抵抗も少なく、滞ることなくスムーズに、また余計な力も不要で着用ができる。また、補助服の上衣、下衣ともに、袖口や足首にはゴム紐が配備されすぼまっているので、ウールやフリースの上衣、下衣ともに着用の際でも、補助服はまくれ上がらずにその位置を保つことができる。その結果、フリースなどの上衣を着た際でも、補助服の袖をフリースなどの上衣とともにまくって固定することもできるし、フリースなどの下衣をはいた際も、補助服ともどもまくることによって、雨の日の歩行の際など、ズボンの裾をぬらさずに済むなどの効果も期待できる。【００１３】  補助服を取り去りたい場合は、補助服上衣１においては胸又は背の係止装置１ｃを解除し、左右の袖口から補助服を引っ張り出すことで、するすると脱衣でき、一方補助服下衣２においては腹部と後腰部の係止装置２ｃを解除して、左右の足のくるぶしあたりから補助服を引っ張り出すことで、するすると脱衣できる。【００１４】  冬など寒い時期に重ね着をする場合、特にウールのセーターの上にフリースを着用するのには、そもそもこすれあう摩擦力が強く、しかも静電気の影響などによって大変大きな力が必要であるが、場合によっては、あまりにも摩擦などが強くて、女性や老人など非力な方々にとっ��はフリースを着用できないこともある。この点、本考案にかかる補助服の着用及び袖口や足首口からの引っ張り出しに要する力は、ウールや綿素材などの下着の上にフリース生地の衣服を着用したり脱衣したりする力にくらべ大変少ないので、結果的に、女性や老人でもウールやフリースの衣服を自分で楽に着用することができる。
【符号の説明】
【００１５】  １    補助服上衣
１ａ  補助服上衣左上半身用
１ｂ  補助服上衣右上半身用
１ｃ  補助服上衣係止装置
２    補助服下衣
２ａ  補助服下衣左下半身用
２ｂ  補助服下衣右下半身用
２ｃ  補助服下衣係止装置
【図１】
0003179549.tif 000003
【図２】
0003179549.tif 000004
【図３】
0003179549.tif 000005